(57)【要約】【課題】嵌合凹部の内周面が治具で傷付けられるのを回避する。【解決手段】リテーナ３０は、仮係止位置と本係止位置との間で、嵌合凹部１５の奥行き方向と交差する方向に移動する。リテーナ３０に、嵌合凹部１５の奥端面に臨む仮係止用操作部３８と本係止用操作部３９を、リテーナ３０の移動方向に離間させて形成した。仮係止用操作部３８における本係止用操作部３９との対向面３８Ａを治具で押すとリテーナ３０が仮係止位置へ移動し、本係止用操作部３９における仮係止用操作部３８との対向面３９Ａを治具で押すとリテーナ３０が本係止位置へ移動する。操作部３８，３９が嵌合凹部１５の内周の近くに配置されていても、操作部３８，３９と嵌合凹部１５の内周との狭い隙間に治具を進入させずに済む。【選択図】図１
2009123365.tif 000002
【特許請求の範囲】
【請求項１】
ハウジングに取り付けた端子金具をリテーナによって抜止めするようになっており、
前記ハウジングは、前方に開口して相手側コネクタを嵌合させるための嵌合凹部と、前記嵌合凹部の奥端部に位置して前記端子金具を保持する端子収容部とを有しており、
前記リテーナは、前記端子収容部に対し、前記端子収容部に対する前記端子金具の挿入を許容する仮係止位置と、前記端子金具を抜止め状態に保持する本係止位置との間での移動を可能に取り付けられ、
前記リテーナの仮係止位置と本係止位置との間の移動方向が、前記嵌合凹部の奥行き方向と交差する方向であり、
前記リテーナには、前記嵌合凹部の奥端面に臨む仮係止用操作部と本係止用操作部が、前記リテーナの移動方向において離間した位置に形成され、
前記仮係止用操作部における前記本係止用操作部との対向面を、前方から前記嵌合凹部に差し込んだ治具で押すことにより、前記リテーナが仮係止位置へ移動し、
前記本係止用操作部における前記仮係止用操作部との対向面を、前方から前記嵌合凹部に差し込んだ治具で押すことにより、前記リテーナが本係止位置へ移動するようになっていることを特徴とするコネクタ。
【請求項２】
前記仮係止用操作部と前記本係止用操作部とが、前記リテーナにおける移動方向の両端部に配置されていることを特徴とする請求項１記載のコネクタ。
【請求項３】
前記仮係止用操作部と前記本係止用操作部の正面から見た形状が互いに異なっていることを特徴とする請求項１又は請求項２記載のコネクタ。
【請求項４】
前記仮係止用操作部と前記本係止用操作部のうち少なくとも一方は、前記嵌合凹部の奥端面から前方へ突出した形態とされていることを特徴とする請求項１ないし請求項３のいずれかに記載のコネクタ。
【請求項５】
前記仮係止用操作部と前記本係止用操作部のうち前記嵌合凹部の奥端面から前方へ突出している前記操作部は、前記嵌合凹部の内周面に接触する位置と、前記嵌合凹部の内周面から離間する位置との間で移動するようになっていることを特徴とする請求項４記載のコネクタ。
【請求項６】
前記相手側コネクタが前記嵌合凹部に進入する過程では、前記嵌合凹部の奥端面から前方へ突出した形態の前記操作部が、前記相手側コネクタと嵌合することで、前記相手側コネクタの進入方向と交差する方向への相対変位を規制するようになっていることを特徴とする請求項４または請求項５に記載のコネクタ。
【請求項７】
前記相手側コネクタが前記嵌合凹部に進入する過程では、前記嵌合凹部の奥端面から前方へ突出した形態の前記操作部が、前記リテーナが仮係止位置にある状態において前記相手側コネクタと干渉するようになっていることを特徴とする請求項４ないし請求項６のいずれかに記載のコネクタ。
【発明の詳細な説明】
【技術分野】
【０００１】
本発明は、コネクタに関するものである。
【背景技術】
【０００２】
特許文献１には、ハウジングに取り付けた端子金具をリテーナによって抜止めするようにしたコネクタが開示されている。ハウジングは、前方に開口して相手側コネクタを嵌合させるための嵌合凹部と、嵌合凹部の奥端部に位置して端子金具を保持する端子収容部とを有している。リテーナは、端子収容部に対し、端子収容部に対する端子金具の挿入を許容する仮係止位置と、端子金具に対して抜止め状態に係止する本係止位置とに保持されるようになっている。リテーナの仮係止位置と本係止位置との間の移動方向は、嵌合凹部の奥行き方向と交差する方向となっており、リテーナには、嵌合凹部の奥端面に臨む操作部が形成され、前方から嵌合凹部に差し込んだ治具で操作部を押すことにより、リテーナを仮係止位置と本係止位置との間で移動させることができる。
【特許文献１】特開２００６−１９０６９６公報
【発明の開示】
【発明が解決しようとする課題】
【０００３】
上記従来のコネクタでは、仮係止位置から本係止位置へ移動させるための操作部と、本係止位置から仮係止位置へ移動させるための操作部とが共通である。このような形態において、操作部が嵌合凹部の内周面に近い位置に配置されている場合には、リテーナを移動させる方向に応じて、操作部における嵌合凹部の内周に近い側の側面と、操作部における嵌合凹部の内周から遠い側の側面とのうち、いずれか一方の側面を治具で押すことになる。  
そして、操作部における嵌合凹部の内周に近い側の側面を押すときには、操作部と嵌合凹部の内周との間の狭い隙間に治具を進入させることになるので、治具が嵌合凹部の内周面に当たって、嵌合凹部の内周面を傷付けることが懸念される。  
本発明のコネクタは上記のような事情に基づいて完成されたものであって、嵌合凹部の内周面が治具によって傷付けられるのを回避できるようにすることを目的とする。
【課題を解決するための手段】
【０００４】
上記の目的を達成するための手段として、請求項１の発明は、ハウジングに取り付けた端子金具をリテーナによって抜止めするようになっており、前記ハウジングは、前方に開口して相手側コネクタを嵌合させるための嵌合凹部と、前記嵌合凹部の奥端部に位置して前記端子金具を保持する端子収容部とを有しており、前記リテーナは、前記端子収容部に対し、前記端子収容部に対する前記端子金具の挿入を許容する仮係止位置と、前記端子金具を抜止め状態に保持する本係止位置との間での移動を可能に取り付けられ、前記リテーナの仮係止位置と本係止位置との間の移動方向が、前記嵌合凹部の奥行き方向と交差する方向であり、前記リテーナには、前記嵌合凹部の奥端面に臨む仮係止用操作部と本係止用操作部が、前記リテーナの移動方向において離間した位置に形成され、前記仮係止用操作部における前記本係止用操作部との対向面を、前方から前記嵌合凹部に差し込んだ治具で押すことにより、前記リテーナが仮係止位置へ移動し、前記本係止用操作部における前記仮係止用操作部との対向面を、前方から前記嵌合凹部に差し込んだ治具で押すことにより、前記リテーナが本係止位置へ移動するようになっているところに特徴を有する。
【０００５】
請求項２の発明は、請求項１に記載のものにおいて、前記仮係止用操作部と前記本係止用操作部とが、前記リテーナにおける移動方向の両端部に配置されているところに特徴を有する。
【０００６】
請求項３の発明は、請求項１または請求項２に記載のものにおいて、前記仮係止用操作部と前記本係止用操作部の正面から見た形状が互いに異なっているところに特徴を有する。
【０００７】
請求項４の発明は、請求項１ないし請求項３のいずれかに記載のものにおいて、前記仮係止用操作部と前記本係止用操作部のうち少なくとも一方は、前記嵌合凹部の奥端面から前方へ突出した形態とされているところに特徴を有する。
【０００８】
請求項５の発明は、請求項４に記載のものにおいて、前記仮係止用操作部と前記本係止用操作部のうち前記嵌合凹部の奥端面から前方へ突出している前記操作部は、前記嵌合凹部の内周面に接触する位置と、前記嵌合凹部の内周面から離間する位置との間で移動するようになっているところに特徴を有する。
【０００９】
請求項６の発明は、請求項４または請求項５に記載のものにおいて、前記相手側コネクタが前記嵌合凹部に進入する過程では、前記嵌合凹部の奥端面から前方へ突出した形態の前記操作部が、前記相手側コネクタと嵌合することで、前記相手側コネクタの進入方向と交差する方向への相対変位を規制するようになっているところに特徴を有する。
【００１０】
請求項７の発明は、請求項４ないし請求項６のいずれかに記載のものにおいて、前記相手側コネクタが前記嵌合凹部に進入する過程では、前記嵌合凹部の奥端面から前方へ突出した形態の前記操作部が、前記リテーナが仮係止位置にある状態において前記相手側コネクタと干渉するようになっているところに特徴を有する。
【発明の効果】
【００１１】
＜請求項１の発明＞
操作部において治具で押される面は、反対側の操作部と対向する側面となっているので、操作部が嵌合凹部の内周に近い位置に配置されている場合でも、操作部と嵌合凹部の内周との間の狭い隙間に治具を進入させる必要がない。したがって、嵌合凹部の内周面が治具によって傷付けられる虞がない。
【００１２】
＜請求項２の発明＞
仮係止用操作部と本係止用操作部とを、リテーナにおける移動方向の両端部に配置したので、２つの操作部が移動方向における中央部に配置されている場合に比べると、嵌合凹部の奥端面と、操作部を押すときの治具とのなす角度を、より小さくすることができる。これにより、操作部を押す作業が容易となる。
【００１３】
＜請求項３の発明＞
仮係止用操作部と本係止用操作部の正面から見た形状が互いに異なっているので、仮係止用操作部と本係止用操作部の識別が容易である。
【００１４】
＜請求項４の発明＞
仮係止用操作部と本係止用操作部のうち嵌合凹部の奥端面から前方へ突出している操作部については、治具で押される面が嵌合凹部の奥端面よりも前方に位置するので、治具で押される面が、嵌合凹部の奥端面よりも奥まった形態である場合に比べると、治具の作業性がよい。
【００１５】
＜請求項５の発明＞
嵌合凹部の奥端面よりも前方へ突出している操作部については、嵌合凹部内に侵入した異物の干渉によって変形や破損等を来すことが懸念されるが、本発明では、嵌合凹部の奥端面から突出する操作部は、嵌合凹部の内周面に近い位置で移動するので、異物の干渉を受ける虞がない。
【００１６】
＜請求項６の発明＞
嵌合凹部に相手側コネクタが進入する過程では、仮係止用操作部と本係止用操作部のうち少なくとも一方が相手側コネクタをガイドするので、相手側コネクタの進入方向と交差する方向へのガタ付きやこじりが防止される。
【００１７】
＜請求項７の発明＞
リテーナが仮係止位置にある状態で嵌合凹部に相手側コネクタが進入すると、嵌合凹部の奥端面から前方へ突出した形態の操作部が、相手側コネクタと干渉するので、この干渉動作によってリテーナの位置を検知できる。
【発明を実施するための最良の形態】
【００１８】
＜実施形態１＞
以下、本発明を具体化した実施形態１を図１乃至図１６を参照して説明する。本実施形態のコネクタは、アウタハウジング１０とインナハウジング２０とを組み付けて構成されるハウジング１と、ハウジング１に取り付けられた複数の端子金具４０と、インナハウジング２０に取り付けられることで端子金具４０を抜止めするリテーナ３０とを備えて構成されている。
【００１９】
アウタハウジング１０は、合成樹脂製であり、横長のブロック状をなす端子保持部１１と、端子保持部１１の外周縁から前方へ突出するフード部１２とを一体に形成したものである。端子保持部１１内には、前後方向に細長く、端子保持部１１を貫通した形態の複数の後部キャビティ１３が形成されている。アウタハウジング１０には、その端子保持部１１の前端面を凹ませた形態の嵌合空間１４が形成されている。嵌合空間１４は、フード部１２の奥端面において横長の方形に開口されており、一部の後部キャビティ１３は嵌合空間１４の奥端面に開口されている。嵌合空間１４は、上下方向において端子保持部１１の中央部に位置し、左右方向においても端子保持部１１の中央部に位置している。
【００２０】
フード部１２の内部空間は、相手側コネクタ５０を嵌合させるための嵌合凹部１５となっている。フード部１２（嵌合凹部１５）の内周面は、左右一対の半円弧面１５Ａと、この一対の半円弧面１５Ａの上端同士及び下端同士を繋ぐ上下一対の平坦面１５Ｂとによって構成されている。つまり、嵌合凹部１５の開口形状は、横長の長円形をなしている。
【００２１】
インナハウジング２０は、合成樹脂製であり、全体として横長のブロック状をなすハウジング本体２１と、ハウジング本体２１の後端面から後方へ横長のブロック状に突出する嵌合部２２とを一体形成した形態である。嵌合部２２の上下寸法はハウジング本体２１よりも小さく、嵌合部２２の左右寸法もハウジング本体２１より小さい。そして、嵌合部２２は、上下方向においてはハウジング本体２１の中央よりも下方に位置し、嵌合部２２の下面はハウジング本体２１の下面とほぼ同じ高さに位置する。また、この嵌合部２２は、左右方向においてはハウジング本体２１のほぼ中央に位置する。
【００２２】
インナハウジング２０内には、前後方向に貫通する複数の前部キャビティ２３が、後部キャビティ１３と対応する配置で形成されている。前部キャビティ２３の前端は、ハウジング本体２１（インナハウジング２０）の前端面に開口する。また、前部キャビティ２３の後端は、その形成位置に応じてハウジング本体２１の後端面又は嵌合部２２の後端面に開口する。
【００２３】
インナハウジング２０の内部には、リテーナ３０を収容状態に組み付けるための手段として収容空間２４が形成されている。収容空間２４は、ハウジング本体２１の下面において全体として左右方向（インナハウジング２０に対する端子金具４０の挿入方向と直交する方向）に細長いスリット状（窓状）に開口されている。リテーナ３０は、この収容空間２４の窓状の開口部から、端子金具４０の挿入方向と直交する方向に収容空間２４内に組み付けることができる。また、収容空間２４は、全ての前部キャビティ２３に連通されている。
【００２４】
ハウジング本体２１の下面における前端縁部には、リテーナ３０をインナハウジング２０に対して組み付け状態に保持する手段として、左右方向において離間した２位置から下方へ突出する一対の規制部２５が形成されている。規制部２５は、側方（アウタハウジング１０に対するインナハウジング２０の組み付け方向と直角な方向）から見ると略Ｌ字形に屈曲した形状となっている。また、ハウジング本体２１の後面（背面）における下端部には、嵌合部２２における一方の側面に隣接する位置から下方へ突出する係止突起２６が形成されている。
【００２５】
リテーナ３０は、合成樹脂製であり、インナハウジング２０の組み付け方向と直角な板状をなす格子状の本体部３１と、本体部３１の下端縁から前方へ組み付け方向と平行に延出する板状延出部３２とを一体に形成したものである。本体部３１には、複数の前部キャビティ２３と対応する複数の貫通孔３３が形成されており、各貫通孔３３の内周には、端子金具４０と係止可能な抜止部３４が形成されている。板状延出部３２の後面に形成した段差状突出部の上面には、仮係止溝３５と本係止溝３６とが左右に並んで形成されている。板状延出部３２の前面における左右両端部には、左右方向に長い左右一対のガイド溝３７が形成されている。
【００２６】
また、リテーナ３０（本体部３１）の左右両端部には、前方（仮係止位置と本係止位置との間におけるリテーナ３０の移動方向と直角な方向）へ突出する形態の仮係止用操作部３８と本係止用操作部３９とが一体に形成されている。この仮係止用操作部３８と本係止用操作部３９は、リテーナ３０が仮係止位置と本係止位置との間で移動するときの移動方向（左右方向）において互いに離間した位置に配置されている。
【００２７】
仮係止用操作部３８は、本体部３１の側縁における上下方向中央位置に配置され、仮係止用操作部３８の上下寸法は、本体部３１の上下寸法よりも小さい。つまり、仮係止用操作部３８の上端は本体部３１の上端よりも下方に位置し、仮係止用操作部３８の下端は本体部３１の下端（板状延出部３２の上面）よりも上方に位置する。また、仮係止用操作部３８の前端は、板状延出部３２の前端よりも前方に突出している。この仮係止用操作部３８の左右両側面のうち本係止用操作部３９と対向する側の側面は、治具（図示せず）を当接させるための当接面３８Ａとなっており、この当接面３８Ａは、リテーナ３０の仮係止位置と本係止位置との間の移動方向と直角な平面である。いる。仮係止用操作部３８の正面から見た形状は、概ね縦長の方形であり、詳しくは、仮係止用操作部３８の左右両縁のうち本係止用操作部３９と対向する内側の当接面３８Ａに沿った側縁は、リテーナ３０の移動方向と直角な直線であるのに対し、本係止用操作部３９とは反対側である外側の側縁は、嵌合凹部１５の半円弧面１５Ａと同じ曲率の円弧をなしている。
【００２８】
本係止用操作部３９は、本体部３１の側縁における上端から下端に亘って形成されており、本係止用操作部３９の上下寸法は、仮係止用操作部３８の上下寸法よりも大きい。本係止用操作部３９の下端部は板状延出部３２の側端部に連なっており、この板状延出部３２に連なる形態とすることにより、本係止用操作部３９が変形し難くなっている。また、本係止用操作部３９の前端は板状延出部３２の前端よりも前方へ突出している。この本係止用操作部３９の左右両側面のうち仮係止用操作部３８と対向する側の側面は、治具（図示せず）を当接させるための当接面３９Ａとなっており、この当接面３９Ａは、リテーナ３０の仮係止位置と本係止位置との間の移動方向と直角な平面である。本係止用操作部３９の正面から見た形状は、縦長の櫛形をなしている。即ち、本係止用操作部３９の左右両縁のうち仮係止用操作部３８と対向する内側の当接面３９Ａに沿った側縁は、リテーナ３０の移動方向と直角な直線であるのに対し、仮係止用操作部３８とは反対側である外側の側縁は、嵌合凹部１５の半円弧面１５Ａと同じ曲率の円弧をなしている。つまり、仮係止用操作部３８と本係止用操作部３９の正面から見た形状は、互いに異なっている。
【００２９】
左右方向における仮係止用操作部３８の外側の側面と本係止用操作部３９の外側の側面との間の最大距離は、リテーナ３０の最大幅寸法となっており、このリテーナ３０の最大幅寸法は、嵌合凹部１５の最大幅寸法に対し、リテーナ３０の移動ストロークに等しい寸法分だけ小さい寸法となっている。
【００３０】
端子金具４０は、全体として前後方向（アウタハウジング１０に対するインナハウジング２０の組み付け方向と平行な方向）に細長く、箱部４１と、箱部４１から前方へ突出するタブ４２と、箱部４１の後端に連なる圧着部４３とを一体に形成した周知の雄形のものである。圧着部４３には電線４４の前端部が導通可能に接続されている。
【００３１】
次に、本実施形態の作用を説明する。  
コネクタを組み付ける際には、まず、インナハウジング２０に対し下から本体部３１を収容空間２４内に嵌入させるようにしてリテーナ３０を取り付ける。取り付ける過程では、規制部２５が、板状延出部３２と干渉して一時的に前方へ弾性撓みする。リテーナ３０が取り付けられると、左右一対の規制部２５が一対のガイド溝３７に嵌合するとともに、板状延出部３２の上面がインナハウジング２０の下面に当接することにより、リテーナ３０のインナハウジング２０からの離脱及び上下方向への相対移動が規制される。
【００３２】
取り付けられたリテーナ３０は、仮係止溝３５と係止突起２６との係止によって仮係止位置（図１及び図３を参照）に保持され、左右方向（本係止位置側）への自由な動きを規制される。リテーナ３０が仮係止位置にある状態では、本体部３１が収容空間２４内に嵌合することにより、リテーナ３０のインナハウジング２０に対する前後方向への相対変位及び傾きが規制される。また、リテーナ３０の左右両端部に位置する仮係止用操作部３８と本係止用操作部３９は、インナハウジング２０の左右両外側面よりも外方へ突出した状態となる。
【００３３】
次に、リテーナ３０が仮係止位置に保持されている状態のインナハウジング２０を、アウタハウジング１０に組み付け、嵌合部２２を嵌合空間１４内に嵌入させる。嵌合の過程では、仮係止用操作部３８の当接面３８Ａとは反対側である円弧状の外面を嵌合凹部１５の半円弧面１５Ａを摺接させれば、左右方向においてアウタハウジング１０に対してインナハウジング２０を位置決めしながら嵌合させることができる。また、リテーナ３０の板状延出部３２の下面を嵌合凹部１５の下側の平坦面１５Ｂに摺接させることにより、上下方向においてアウタハウジング１０に対してインナハウジング２０を位置決めしながら嵌合させることができる。
【００３４】
そして、インナハウジング２０が正規の組付位置に達すると、ハウジング本体２１の後面が端子保持部１１の前端面に突き当たってそれ以上の組み付け動作を規制されるとともに、図示しないロック手段又は嵌合部２２の外周面と嵌合空間１４の内周面との摩擦により、インナハウジング２０はアウタハウジング１０に対して組み付け状態に保持され、ハウジング１が構成される。また、端子保持部１１とこの端子保持部１１に組み付けられたインナハウジング２０とにより、嵌合凹部１５の奥端部に位置して端子金具４０を保持する端子収容部１９が構成される。
【００３５】
インナハウジング２０をアウタハウジング１０に組み付けた状態では、図１及び図３に示すように、仮係止用操作部３８は、その当接面３８Ａとは反対側である外側の側面を嵌合凹部１５の半円弧面１５Ａに面接触状態で当接させており、また、本係止用操作部３９は、その当接面３９Ａとは反対側である外側の側面を嵌合凹部１５の半円弧面１５Ａに対して隙間を空けて左右方向に対峙した状態となっている。また、インナハウジング２０（端子収容部１９）の前端面は嵌合凹部１５の奥端面となり、仮係止用操作部３８の前端部と本係止用操作部３９の前端部は、いずれも、嵌合凹部１５の奥端面に臨むように位置し、この奥端面から互いに同じ寸法だけ前方へ突出した状態となる。
【００３６】
同じくインナハウジング２０をアウタハウジング１０に組み付けた状態では、互いに対応する前部キャビティ２３と後部キャビティ１３とが前後に連通して、端子金具４０を収容するための空間が構成される。また、図３に示すように、リテーナ３０は仮係止位置に保持されているので、貫通孔３３の抜止部３４は前部キャビティ２３における端子金具４０の挿入領域の外部（側方）へ退避した位置にある。また、インナハウジング２０の外周のうち下面における収容空間２４の開口領域、及び収容空間２４の開口領域に露出しているリテーナ３０の下面（摺接面）は、フード部１２によって覆い隠された状態となる。
【００３７】
この状態で、後方から各後部キャビティ１３内に端子金具４０を差し込む。そして、端子金具４０が、正規挿入位置に達すると、図３に示すように、タブ４２がハウジング本体２１の前端面から前方へ突出してフード部１２で包囲されるとともに、箱部４１が前部キャビティ２３内に位置した状態となる。このようにして端子収容部１９に正規挿入された端子金具４０は、前部キャビティ２３の内壁に沿うように形成した周知形態のランス（図示せず）の一次係止作用により抜止め状態となる。
【００３８】
全ての端子金具４０の挿入が完了した後は、仮係止位置に保持されているリテーナ３０を本係止位置へ移動させる。この作業は、細長い治具（図示せず）を斜め前方から嵌合凹部１５内に進入させ、その治具の先端を仮係止用操作部３８の当接面３８Ａに宛てて、本係止用操作部３９とは反対側（図３における左方）へ押す。すると、リテーナ３０は、その板状延出部３２の上面をインナハウジング２０の下面に摺接させるとともに、板状延出部３２の下面を嵌合凹部１５の内周面に摺接させることによりガイドされながら、本係止位置へ移動する。このときのリテーナ３０の移動方向は、嵌合凹部１５の奥行き方向（前後方向）と交差する方向となっている。移動したリテーナ３０は、本係止溝３６と係止突起２６との係止作用により本係止位置に保持される。
【００３９】
リテーナ３０が本係止位置に移動した状態では、図４に示すように、リテーナ３０の抜止部３４が前部キャビティ２３内に進出して端子金具４０の箱部４１の側縁部に対して後方から係止する。この抜止部３４による箱部４１への二次係止作用により、端子金具４０は確実に抜止め状態にロックされる。また、図２及び図４に示すように、本係止用操作部３９は、その当接面３９Ａとは反対側である外側の側面を嵌合凹部１５の半円弧面１５Ａに面接触状態で当接させており、仮係止用操作部３８は、その当接面３８Ａとは反対側である外側の側面を嵌合凹部１５の半円弧面１５Ａに対して隙間を空けて左右方向に対峙した状態となっている。
【００４０】
このコネクタに対して相手側コネクタ５０を嵌合する際には、相手側コネクタ５０が嵌合凹部１５内に進入する。ここで、相手側コネクタ５０の形状について説明すると、相手側コネクタ５０は、全体として横長長円形のブロック状をなすものであり、その左右方向における両端部のうち一方の端部には、図１５及び図１６に示すように、リテーナ３０が本係止位置にあるときに本係止用操作部３９の前端部を嵌入させるための凹み形状をなす検知用逃がし部５１が、相手側コネクタ５０の外周前端部を切欠した形態に形成されている。また、検知用逃がし部５１と反対側の端部には、図１４に示すように、リテーナ３０が本係止位置にある状態において、仮係止用操作部３８の前端部を嵌入させるためのガイド用逃がし部５２が、相手側コネクタ５０の外周を切欠した形態に形成されている。
【００４１】
したがって、相手側コネクタ５０が嵌合凹部１５に嵌入する過程では、仮係止用操作部３８とガイド用逃がし部５２とが嵌合することにより、相手側コネクタ５０は、嵌合凹部１５に対して上下及び左右方向（嵌合方向と交差する方向）において位置決めされるとともに、嵌合方向に対して斜め姿勢となるようなこじりが防止さめる。
【００４２】
また、相手側コネクタ５０が嵌合されるときには、リテーナ３０が本係止位置に移動している場合には、図１５に示すように、本係止用操作部３９が検知用逃がし部５１に嵌入されるので、相手側コネクタ５０の嵌合動作が支障なく行われる。これに対し、リテーナ３０が仮係止位置に留まったままで相手側コネクタ５０が嵌合された場合には、相手側コネクタ５０が正規の嵌合位置に到達するより前に、図１６に示すように、相手側コネクタ５０の前端面が本係止用操作部３９の前端に突き当たり、それ以上の相手側コネクタ５０の嵌合動作が規制される。この嵌合規制により、リテーナ３０が本係止位置へ移動しておらず仮係止位置に留まったままである、ということを検知できる。尚、本係止用操作部３９は、板状延出部３２に連なっていて剛性が高められているので、相手側コネクタ５０が突き当たることによって本係止用操作部３９が破損する虞はない。
【００４３】
メンテナンス等のために端子金具４０をハウジング１から外す際には、本係止位置にあるリテーナ３０を仮係止位置へ移動させ、リテーナ３０の抜止部３４を端子金具４０の挿抜経路外へ退避させておく。リテーナ３０を仮係止位置へ移動させる際には、細長い治具を斜め前方から嵌合凹部１５内に進入させ、その治具の先端を本係止用操作部３９の当接面３９Ａに宛てて、仮係止用操作部３８とは反対側（図４における右方）へ押す。すると、リテーナ３０は、その板状延出部３２の上面をインナハウジング２０の下面に摺接させるとともに、板状延出部３２の下面を嵌合凹部１５の内周面に摺接させることによりガイドされながら、仮係止位置へ移動する。移動したリテーナ３０は、仮係止溝３５と係止突起２６との係止作用により仮係止位置に保持される。
【００４４】
上述のように本実施形態においては、本係止用操作部３９において治具で押される当接面３９Ａは、仮係止用操作部３８と対向する側面となっているので、本係止用操作部３９が嵌合凹部１５の内周に近い位置に配置されていても、本係止用操作部３９と嵌合凹部１５の内周との間の狭い隙間に治具を進入させる必要がない。同様に、仮係止用操作部３８において治具で押される当接面３８Ａも、本係止用操作部３９と対向する側面となっているので、仮係止用操作部３８が嵌合凹部１５の内周に近い位置に配置されていても、仮係止用操作部３８と嵌合凹部１５の内周との間の狭い隙間に治具を進入させる必要がない。したがって、嵌合凹部１５の内周面が治具によって傷付けられる虞がない。
【００４５】
また、仮係止用操作部３８と本係止用操作部３９とを、リテーナ３０における移動方向の両端部に配置したので、２つの操作部３８，３９が移動方向における中央部に配置されている場合に比べると、嵌合凹部１５の奥端面と、操作部３８，３９を押すときの治具とのなす角度を、より小さくすることができる。これにより、操作部３８，３９を押す作業が容易となる。  
また、仮係止用操作部３８と本係止用操作部３９の正面から見た形状が互いに異なっているので、仮係止用操作部３８と本係止用操作部３９の識別が容易である。  
また、仮係止用操作部３８と本係止用操作部３９は、嵌合凹部１５の奥端面から前方へ突出した形態とされているので、治具で押される当接面３８Ａ，３９Ａは嵌合凹部１５の奥端面よりも前方に位置することになる。したがって、治具で押される当接面３８Ａ，３９Ａが、嵌合凹部１５の奥端面よりも奥まった形態である場合に比べると、治具の作業性がよい。
【００４６】
また、仮係止用操作部３８と本係止用操作部３９は、嵌合凹部１５の奥端面よりも前方へ突出しているので、嵌合凹部１５内に侵入した異物の干渉によって変形や破損等を来すことが懸念される。そこで、本実施形態では、仮係止用操作部３８と本係止用操作部３９を、嵌合凹部１５の内周面に接触する位置と、嵌合凹部１５の内周面から僅かに離間する位置との間で移動するようにした。このように、仮係止用操作部３８と本係止用操作部３９は、嵌合凹部１５の内周面に近い位置で移動するので、異物の干渉を受け難くなっている。
【００４７】
＜他の実施形態＞
本発明は上記記述及び図面によって説明した実施形態に限定されるものではなく、例えば次のような実施態様も本発明の技術的範囲に含まれる。  
（１）上記実施形態では、フード部の内部空間を嵌合凹部をとしたが、本発明は、ブロック状をなすハウジングの前面を凹ませることによって嵌合凹部が形成されていてもよい。  
（２）上記実施形態では、仮係止用操作部と本係止用操作部とを、リテーナにおける移動方向の両端部に配置したが、本発明によれば、仮係止用操作部と本係止用操作部のうち少なくとも一方を、リテーナにおける移動方向両端より中央側の位置に配置してもよい。  
（３）上記実施形態では仮係止用操作部と本係止用操作部の正面から見た形状を互いに異なる形状としたが、本発明によれば、仮係止用操作部と本係止用操作部の正面から見た形状が互いに同じ形状又は対称な形状であってもよい。  
（４）上記実施形態では、仮係止用操作部と本係止用操作部の両方を嵌合凹部の奥端面から前方へ突出させる形態としたが、本発明によれば、仮係止用操作部と本係止用操作部のうちいずれか一方の操作部のみを嵌合凹部の奥端面から前方へ突出する形態としてもよく、仮係止用操作部と本係止用操作部の双方が嵌合凹部の奥端面から突出しない形態としてもよい。  
（５）上記実施形態では、嵌合凹部に進入する相手側コネクタの進入方向と交差する方向への相対移動を規制する手段として、仮係止用操作部だけを用いたが、本発明によれば、相手側コネクタの相対移動規制手段として、仮係止用操作部と本係止用操作部の両操作部を用いてもよく、本係止用操作部のみを用いてもよい。  
（６）上記実施形態では、相手側コネクタが嵌合凹部に進入する過程でリテーナの位置を検知する手段として、本係止用操作部だけを相手側コネクタと干渉させたが、本発明によれば、リテーナの位置を検知する手段として、仮係止用操作部と本係止用操作部の両操作部を相手側コネクタに干渉させてももよく、仮係止用操作部のみを相手側コネクタと干渉させてもよい。  
（７）ハウジングに対するリテーナの組み付け方向は、端子金具の挿入方向に対して斜め方向であってもよい。  
（８）ハウジングは、インナハウジングとアウタハウジングとの２部品からなるものに限らず、単一部品からなるものであってもよい。この場合、リテーナの収容空間は、ハウジングの外面に露出した状態となる。  
（９）上記実施形態ではリテーナを端子金具に係止させることによって端子金具を抜止めしたが、本発明は、端子収容部内に端子金具に係止して抜止めするランスを形成し、このランスの撓み空間内にリテーナを嵌入させることによって端子金具を抜止め状態に保持するようにしてもよい。
【図面の簡単な説明】
【００４８】
【図１】実施形態１においてリテーナが仮係止位置に保持されている状態をあわらす正面図
【図２】リテーナが本係止位置に保持されている状態をあわらす正面図
【図３】図１のＸ−Ｘ線断面図
【図４】図２のＹ−Ｙ線断面図
【図５】アウタハウジングの正面図
【図６】インナハウジングの正面図
【図７】インナハウジングの底面図
【図８】インナハウジングの背面図
【図９】リテーナの正面図
【図１０】リテーナの平面図
【図１１】リテーナの左側面図
【図１２】リテーナの右側面図
【図１３】リテーナの背面図
【図１４】嵌合凹部に嵌合される相手側コネクタと仮係止用操作部との位置関係をあらわす部分正面図
【図１５】リテーナが本係止位置に保持されている状態において、嵌合凹部に嵌合される相手側コネクタと本係止用操作部との位置関係をあらわす部分正面図
【図１６】リテーナが仮係止位置に保持されている状態において、嵌合凹部に嵌合される相手側コネクタと本係止用操作部との位置関係をあらわす部分正面図
【符号の説明】
【００４９】
１…ハウジング
１５…嵌合凹部
１９…端子収容部
３０…リテーナ
３８…仮係止用操作部
３８Ａ…当接面（仮係止用操作部における本係止用操作部との対向面）
３９…本係止用操作部
３９Ａ…当接面（本係止用操作部における仮係止用操作部との対向面）
４０…端子金具
【図１】
2009123365.tif 000003
【図２】
2009123365.tif 000004
【図３】
2009123365.tif 000005
【図４】
2009123365.tif 000006
【図５】
2009123365.tif 000007
【図６】
2009123365.tif 000008
【図７】
2009123365.tif 000009
【図８】
2009123365.tif 000010
【図９】
2009123365.tif 000011
【図１０】
2009123365.tif 000012
【図１１】
2009123365.tif 000013
【図１２】
2009123365.tif 000014
【図１３】
2009123365.tif 000015
【図１４】
2009123365.tif 000016
【図１５】
2009123365.tif 000017
【図１６】
2009123365.tif 000018